(57)【要約】【課題】利用者が自分の好みに合わせて作成したデータを応答メッセージとして使用することができる留守番電話装置を提供する。【解決手段】留守番電話装置１は、外部記憶装置１０の記憶装置１１と通信可能な通信インターフェース２と、通信インターフェース２を用いて記憶装置１１からデータを格納することができる応答メッセージ記憶部４とを備える。通信制御部３は、通信インターフェース２と記憶装置側通信インターフェース１３に接続された通信回線１４を介して、外部記憶装置１０の記憶部１１から応答メッセージ用データを読み込んで応答メッセージ記憶部４に格納する。応用メッセージ用データを格納した後、留守番モード時の着呼に対して留守番電話機能制御部６が応答メッセージ記憶部４から応答メッセージ用データを読み出して回線インターフェース７を通して電話回線５に送出する。【選択図】　図１
2004048459.tif 000002
【特許請求の範囲】
【請求項１】
データを記憶する記憶手段と、
応答メッセージ用データを記憶している外部記憶装置と通信可能な通信手段と、
前記通信手段を介して前記外部記憶装置から応答メッセージ用データを取り込んで前記記憶手段に記憶させる通信制御手段と、
留守番モード時の着呼に対して前記記憶手段から応答メッセージ用データを読み出して電話回線を介して発信元へ送信するデータ送信手段と、
を備えることを特徴とする留守番電話装置。
【請求項２】
データを記憶する記憶手段と、
応答メッセージ用データを記憶している外部記憶媒体から応答メッセージ用データを読み出すデータ読出手段と、
前記データ読出手段を用いて前記外部記憶媒体から応答メッセージ用データを読み出して前記記憶手段に書き込むデータ書込手段と、
留守番モード時の着呼に対して前記記憶手段に記憶されている応答メッセージ用データを読み出して電話回線を介して発信元へ送信するデータ送信手段と、
を備えることを特徴とする留守番電話装置。
【請求項３】
データを記憶する記憶手段と、
応答メッセージ用データを記憶している外部記憶装置と通信可能な通信手段と、
応答メッセージ用データを記憶している外部記憶媒体から応答メッセージ用データを読み出すデータ読出手段と、
前記外部記憶手段に記憶された応答メッセージ用データ又は前記外部記憶媒体に記憶された応答メッセージ用データのいずれか一方の前記記憶手段への格納を選択する選択手段と、
前記選択手段にて応答メッセージ用データの前記記憶手段への格納を選択された場合に前記通信手段を介して前記外部記憶装置から応答メッセージ用データを読み出して前記記憶手段に格納する通信制御手段と、
前記外部記憶媒体から応答メッセージ用データを読み出すデータ読出手段と、前記選択手段にて応答メッセージ用データの前記記憶手段への格納を選択された場合に前記データ読出手段にて前記外部記憶媒体から応答メッセージ用データを読み出して前記記憶手段に書き込むデータ書込手段と、
留守番モード時の着呼に対して前記記憶手段に記憶されている応答メッセージ用データを読み出し電話回線を介して発信元へ送信するデータ送信手段と、
を備えることを特徴とする留守番電話装置。
【請求項４】
通信回線を介して外部から応答メッセージ用データを取り込むか又は外部記憶媒体に記憶された応答メッセージ用データを取り込むかのいずれか一方を選択するステップと、
外部から応答メッセージ用データを取り込むことを選択した場合には通信回線を介して外部より応答メッセージ用データを取り込んで記憶するステップと、
外部記憶媒体に記憶された応答メッセージ用データを取り込むことを選択した場合には前記外部記憶媒体から応答メッセージ用データを取り込んで記憶するステップと、
留守番モード時に着呼があると、記憶している前記応答メッセージ用データを発信元へ送信するステップと、
を有することを特徴とする留守電話応答メッセージ送信方法。
【発明の詳細な説明】
【０００１】
【発明の属する技術分野】
本発明は、留守番モード時に着呼があったときに応答メッセージを発信元に送信する留守番電話装置に関する。
【０００２】
【従来の技術】
従来、留守番電話装置には留守番モード時の着呼に対して電話回線に送出する応答メッセージ用データとして、電話装置内のＲＯＭ（Ｒｅａｄ　Ｏｎｌｙ　Ｍｅｍｏｒｙ）に記憶させているものや、利用者が自分の好みに合わせて電話装置内蔵のカメラやマイクなどの入力手段を使用して入力したものや、サービスセンターから留守番装置内のＲＡＭ（Ｒａｎｄｏｍ　Ａｃｃｅｓｓ　Ｍｅｍｏｒｙ）にダウンロードしたものを使用して必要に応じて再生するようにしたものがある。
【０００３】
例えば、特開平７−４６３００号公報で開示された留守番電話装置では、サービスセンタからの保留メロディや応答メッセージに対応した録音データを受信して復調し、復調した録音データを録音用ＲＡＭに記憶する。そして、必要に応じて録音用ＲＡＭに記憶させた録音データを読み出して再生し、保留メロディあるいは応答メッセージとして回線に送出する。
【０００４】
【発明が解決しようとする課題】
しかしながら、従来の留守番電話装置においては、以下のような問題がある。
（１）応答メッセージ用データが予め電話装置内のＲＯＭに記憶してある留守番電話装置では、応答メッセージ用データを利用者の好みに応じて簡単に変更することができない。
【０００５】
（２）利用者が自分の好みに合わせて留守番電話装置内蔵のカメラやマイクなどの入力手段で取得した画像や音声を送信する機能を有する留守番電話装置では、入力手段であるカメラやマイクが電話装置に内蔵されたものであり、留守番電話装置そのものは移動に困難を伴うことから、事実上、留守番電話装置の設置された場所の映像や音声などしか使用することができない。
【０００６】
（３）応答メッセージをダウンロードできる留守番電話装置では、応答メッセージ用データを提供するサービスセンタに準備されたデータしか使用することができない。
【０００７】
本発明は、上記事情に鑑みてなされたもので、その目的は、利用者が自分の好みに合わせて作成したデータを応答メッセージとして使用することができる留守番電話装置及び留守電話応答メッセージ送信方法を提供することにある。
【０００８】
【課題を解決するための手段】
本発明の留守番電話装置は、データを記憶する記憶手段と、応答メッセージ用データを記憶している外部記憶装置と通信可能な通信手段と、前記通信手段を介して前記外部記憶装置から応答メッセージ用データを取り込んで前記記憶手段に記憶させる通信制御手段と、留守番モード時の着呼に対して前記記憶手段から応答メッセージ用データを読み出して電話回線を介して発信元へ送信するデータ送信手段と、を備えることを特徴とする。
【０００９】
この構成では、通信手段を用いて応答メッセージ用データを外部記憶装置から装置内の記憶手段に格納し、それを留守番モード時の着呼に対する応答メッセージとして使用する。したがって、利用者が留守番電話装置外部の入力・編集手段を用いて自分の好みに合わせて入力・作成・編集したデータを自由に応答メッセージとして使用することが可能となる。
【００１０】
本発明の留守番電話装置は、データを記憶する記憶手段と、応答メッセージ用データを記憶している外部記憶媒体から応答メッセージ用データを読み出すデータ読出手段と、前記データ読出手段を用いて前記外部記憶媒体から応答メッセージ用データを読み出して前記記憶手段に書き込むデータ書込手段と、留守番モード時の着呼に対して前記記憶手段に記憶されている応答メッセージ用データを読み出して電話回線を介して発信元へ送信するデータ送信手段と、を備えることを特徴とする。
【００１１】
この構成では、外部記憶媒体から応答メッセージ用データを装置内の記憶手段に格納し、それを留守番モード時の着呼に対する応答メッセージとして使用する。したがって、利用者が電話装置外部の入力・編集手段を用いて、自分の好みに合わせて入力・作成・編集したデータを自由に応答メッセージとして使用することが可能となる。
【００１２】
本発明の留守番電話装置は、データを記憶する記憶手段と、応答メッセージ用データを記憶している外部記憶装置と通信可能な通信手段と、応答メッセージ用データを記憶している外部記憶媒体から応答メッセージ用データを読み出すデータ読出手段と、前記外部記憶手段に記憶された応答メッセージ用データ又は前記外部記憶媒体に記憶された応答メッセージ用データのいずれか一方の前記記憶手段への格納を選択する選択手段と、前記選択手段にて応答メッセージ用データの前記記憶手段への格納を選択された場合に前記通信手段を介して前記外部記憶装置から応答メッセージ用データを読み出して前記記憶手段に格納する通信制御手段と、前記外部記憶媒体から応答メッセージ用データを読み出すデータ読出手段と、前記選択手段にて応答メッセージ用データの前記記憶手段への格納を選択された場合に前記データ読出手段にて前記外部記憶媒体から応答メッセージ用データを読み出して前記記憶手段に書き込むデータ書込手段と、留守番モード時の着呼に対して前記記憶手段に記憶されている応答メッセージ用データを読み出し電話回線を介して発信元へ送信するデータ送信手段と、を備えることを特徴とする。
【００１３】
この構成では、外部記憶装置から通信手段を介して応答メッセージ用データを装置内の記憶手段に格納するか又は外部記憶媒体からデータ読出手段を介して応答メッセージ用データを装置内の記憶手段に格納し、それを留守番モード時の着呼に対する応答メッセージとして使用する。したがって、利用者が留守番電話装置外部の入力・編集手段を用いて、自分の好みに合わせて入力・作成・編集したデータを自由に応答メッセージとして使用することが可能となる。
【００１４】
本発明の留守電話応答メッセージ送信方法は、通信回線を介して外部から応答メッセージ用データを取り込むか又は外部記憶媒体に記憶された応答メッセージ用データを取り込むかのいずれか一方を選択するステップと、外部から応答メッセージ用データを取り込むことを選択した場合には通信回線を介して外部より応答メッセージ用データを取り込んで記憶するステップと、外部記憶媒体に記憶された応答メッセージ用データを取り込むことを選択した場合には前記外部記憶媒体から応答メッセージ用データを取り込んで記憶するステップと、留守番モード時に着呼があると、記憶している前記応答メッセージ用データを発信元へ送信するステップと、を有することを特徴とする。
【００１５】
この方法では、外部記憶装置から通信手段を介して応答メッセージ用データを装置内の記憶手段に格納するか又は外部記憶媒体からデータ読出手段を介して応答メッセージ用データを装置内の記憶手段に格納し、それを留守番モード時の着呼に対する応答メッセージとして使用する。したがって、利用者が留守番電話装置外部の入力・編集手段を用いて、自分の好みに合わせて入力・作成・編集したデータを自由に応答メッセージとして使用することが可能となる。
【００１６】
【発明の実施の形態】
以下、図面を参照して本発明の実施形態を説明する。
（第１実施形態）
図１は、本発明の第１実施形態に係る留守番電話装置の構成を示すブロック図である。この図において、本実施形態の留守番電話装置１は、外部記憶装置１０と通信可能なＩＥＥＥ１３９４に代表される通信インターフェース２と、通信インターフェース２による通信を制御する通信制御部３と、通信により応答メッセージ用データを電話装置内に記憶する応答メッセージ記憶部４と、留守番モード時の着呼に対して応答メッセージを電話回線５に送出する制御を行う留守番電話機能制御部６と、応答メッセージを応答メッセージ記憶部４から読み出して、電話回線５に送出する回線インターフェース７とを備えている。
【００１７】
次に、上記構成の留守番電話装置１の動作について説明する。
まず、留守番電話装置１外部の入力・編集手段（例えばパーソナルコンピュータ）で入力・作成・編集された応答メッセージ用データを留守番電話装置１と通信可能な外部記憶装置１０の記憶装置１１に保存しておき、記憶装置側通信制御部１２及び留守電話装置側の通信制御部３からの制御により、通信インターフェース２と記憶装置側通信インターフェース１３に接続された通信回線１４を介して記憶装置１１から応答メッセージ記憶部４に応答メッセージ用データを格納する。
【００１８】
応答メッセージ記憶部４に応答メッセージ用データを格納した後、留守番モード時に着呼があると、その着呼に対して留守番電話機能制御部６が応答メッセージ記憶部４から応答メッセージ用データを読み出して回線インターフェース７を通して電話回線５に送出する。
【００１９】
このように、本実施形態の留守番電話装置では、外部記憶装置１０の記憶装置１１と通信可能な通信インターフェース（通信手段）２と、通信インターフェース２を用いて記憶装置１１からデータを格納することができる応答メッセージ記憶部（記憶手段）４とを備え、通信手段を用いて応答メッセージデータを外部記憶装置から装置内の記憶手段に格納し、それを留守番モード時の着呼に対する応答メッセージとして使用するようになっている。これにより、利用者が電話装置外部の入力・編集手段を用いて自分の好みに合わせて入力・作成・編集したデータを自由に応答メッセージとして使用することができる。
【００２０】
（第２実施形態）
図２は、本発明の第２実施形態に係る留守番電話装置の構成を示すブロック図である。この図において、上述した第１実施形態の留守番電話装置１との差は、外部記憶装置１０と通信可能な通信インターフェース２が、メモリカード等の外部記憶媒体２４から応答メッセージ用データを読み出すデータ読出部２１となっている点と、通信インターフェース２による通信を制御する通信制御部３がデータ読出部２１により外部記憶媒体２４からデータを読み出す制御を行う記憶媒体用ドライブ制御部２２となっている点である。
【００２１】
次に、上記構成の留守番電話装置２０の動作について説明する。
まず、留守番電話装置２０外部の入力・編集手段（例えばパーソナルコンピュータ）を使用して入力・作成・編集された応答メッセージ用データをデータ読出部２１が読み出し可能な外部記憶媒体２４に保存しておき、記憶媒体用ドライブ制御部２２からの制御により外部記憶媒体２４から応答メッセージ用データを読み出して応答メッセージ記憶部４に格納する。
【００２２】
応答メッセージ記憶部４に応答メッセージ用データを格納した後、留守番モード時に着呼があると、その着呼に対して留守番電話機能制御部６が応答メッセージ記憶部４から応答メッセージ用データを読み出して回線インターフェース７を通して電話回線５に送出する。
【００２３】
このように、本実施形態の留守番電話装置では、外部記憶媒体２４からデータを読み出すデータ読出部（データ読出手段）２１と、データ読出部２１を用いて外部記憶媒体２４からデータを格納することができる応答メッセージ記憶部（記憶手段）４とを備え、外部記憶媒体から応答メッセージ用データを装置内の記憶手段に格納し、それを留守番モード時の着呼に対する応答メッセージとして使用するようになっている。これにより、利用者が電話装置外部の入力・編集手段を用いて、自分の好みに合わせて入力・作成・編集したデータを自由に応答メッセージとして使用することができる。
【００２４】
（第３実施形態）
図３は、本発明の第３実施形態に係る留守番電話装置３０の構成を示すブロック図である。この図において、本実施形態の留守番電話装置３０は、上述した第１実施形態の留守番電話装置１及び第２実施形態の留守番電話装置２０の全ての要素と、通信インターフェース２を用いたデータ格納方法か、データ読出部２１を用いたデータ格納方法のいずれか一方をユーザが任意に行えるデータ格納方法選択部３１を有する構成を採っている。
【００２５】
次に、上記構成の留守番電話装置３０の動作について説明する。
まず、留守番電話装置３０外部の入力・編集手段（例えばパーソナルコンピュータ）を使用して入力・作成・編集された応答メッセージ用データを、留守番電話装置３０と通信可能な外部記憶装置１０の記憶部１１に保存する。その後、データ格納方法選択部３１により通信インターフェース２を用いたデータ格納方法が選択されていると、記憶装置側通信制御部１２又は電話装置側の通信制御部３からの制御により、通信インターフェース２と通信インターフェース１３に接続された通信回線１４を介して記憶部１１から応答メッセージ用記憶部４に応答メッセージ用データを格納する。
【００２６】
応答メッセージ記憶部４に応答メッセージ用データを格納した後、留守番モード時に着呼があると、その着呼に対して留守番電話機能制御部６が応答メッセージ記憶部４から応答メッセージ用データを読み出して回線インターフェース７を通して電話回線５に送出する。
【００２７】
一方、留守番電話装置３０外部の入力・編集手段を使用して入力・作成・編集された応答メッセージ用データをデータ読出部２１が読出可能な外部記憶媒体２４に保存しておいた後、データ格納方法選択部３１により外部記憶媒体２４を用いたデータ格納方法が選択されていると、記憶媒体用ドライブ制御部２２の制御により、データ読出部２１にて外部記憶媒体２４から応答メッセージ用データが読み出されて応答メッセージ記憶部４に格納される。
【００２８】
応答メッセージ記憶部４に応答メッセージ用データを格納した後、留守番モード時に着呼があると、その着呼に対して留守番電話機能制御部６が応答メッセージ記憶部４から応答メッセージ用データを読み出して回線インターフェース７を通して電話回線５に送出する。
【００２９】
このように、本実施形態の留守番電話装置によれば、外部記憶装置から通信手段を介して応答メッセージデータを装置内の記憶手段に格納するか、又は外部記憶媒体からデータ読出手段を介して応答メッセージデータを装置内の記憶手段に格納し、それを留守番モード時の着呼に対する応答メッセージとして使用するようになっている。したがって、第１実施形態及び第２実施形態の機能を選択的に行うことができ、利用者が電話装置外部の入力・編集手段を用いて自分の好みに合わせて入力・作成・編集したデータを自由に応答メッセージとして使用することができる。
【００３０】
なお、上記各実施形態では、通信回線１４は有線通信回線を対象として説明したが、通信回線１４に無線通信路を用いた場合でも同様の効果を有することは言うまでもない。
【００３１】
【発明の効果】
以上説明したように本発明によれば、利用者が自分の好みに合わせて作成したデータを応答メッセージとして使用することが可能な留守番電話装置及び留守電話応答メッセージ送信方法を提供できる。
【図面の簡単な説明】
【図１】本発明の第１実施形態に係る留守番電話装置の構成を示すブロック図
【図２】本発明の第２実施形態に係る留守番電話装置の構成を示すブロック図
【図３】本発明の第３実施形態に係る留守番電話装置の構成を示すブロック図
【符号の説明】
１、２０、３０　留守番電話装置
２　通信インターフェース
３　通信制御部
４　応答メッセージ記憶部
５　電話回線
６　留守番電話機能制御部
７　回線インターフェース
１０　外部記憶装置
１１　記憶部
１２　記憶装置側通信制御部
１３　記憶装置側通信インターフェース
１４　通信回線
２１　データ読出部
２２　記憶媒体用ドライブ制御部
２４　外部記憶媒体
３１　データ格納方法選択部
【図１】
2004048459.tif 000003
【図２】
2004048459.tif 000004
【図３】
2004048459.tif 000005